(57)【要約】【課題】カード等の硬く小さな原稿を通紙する場合でも原稿にストレスを与えず、良好な分離・搬送を行う自動原稿搬送装置を提供する。【解決手段】原稿テーブル５と、該原稿テーブル５上にセットされた原稿６を呼び出す呼出し手段７と、給送手段９および分離部材１０からなる分離部とを有する自動原稿搬送装置において、原稿テーブル５から突出及び退避可能に設けられ、原稿テーブル５から突出することで原稿テーブル５上に原稿６を持ち上げる補助部材５０を備える。原稿がカード等の場合には、補助部材５０を突出させることで原稿６を持ち上げ、分離部以降の通紙経路に対して原稿を直線状に搬送させる。【選択図】図６
2013237494.tif 000002
【特許請求の範囲】
【請求項１】
原稿テーブルと、該原稿テーブル上にセットされたシート状原稿を呼び出す呼出し手段と、給送手段および分離部材からなり前記呼出し手段により呼び出された原稿を一枚ずつに分離して給送する分離部とを有する自動原稿搬送装置において、
前記原稿テーブルから突出及び退避可能に設けられ、前記原稿テーブルから突出することで前記原稿テーブル上に原稿を持ち上げる補助部材を備えることを特徴とする自動原稿搬送装置。
【請求項２】
前記補助部材によって前記原稿テーブル上に持ち上げ保持された原稿と、前記分離部以降の通紙経路とが一直線上ないし略一直線上になるように構成されていることを特徴とする、請求項１に記載の自動原稿搬送装置。
【請求項３】
原稿の幅方向に移動可能に設けられ前記原稿テーブル上にセットされた原稿の幅方向端部をガイドするガイド部材を有し、
前記ガイド部材の移動に連動して前記補助部材が前記原稿テーブルから突出及び退避されることを特徴とする、請求項１又は２に記載の自動原稿搬送装置。
【請求項４】
前記補助部材の前記原稿テーブルからの突出を指示する指示手段を有することを特徴とする、請求項１又は２に記載の自動原稿搬送装置。
【請求項５】
請求項１〜４のいずれか１項に記載の自動原稿搬送装置を備えることを特徴とする画像読取装置。
【請求項６】
画像読取装置を有し、該画像読取装置に請求項１〜４のいずれか１項に記載の自動原稿搬送装置を備えることを特徴とする画像形成装置。
【発明の詳細な説明】
【技術分野】
【０００１】
本発明は、自動原稿搬送装置、自動原稿搬送装置を備える画像読取装置及び画像形成装置に関するものである。
【背景技術】
【０００２】
複写機等の画像形成装置に用いられる自動原稿搬送装置（ＡＤＦ＝Auto Document Feeder）として、積載された原稿束の最も上の原稿から繰り出す（分離する）、上繰り分離方式の自動原稿搬送装置は周知である。
【０００３】
従来の自動原稿搬送装置においては、例えば名刺やクレジットカードあるいは免許証など、厚さが極端に厚いものを繰り出すことは困難であるため、それらを原稿として分離搬送するために様々な対策が講じられてきた。
【０００４】
例えば、原稿テーブルと、分離部下流の読み取り部分への搬送経路とが全くの一直線では無く、ある程度以上の角度が有る構成の場合、原稿（この場合クレジットカード等）を曲げることは困難なので、原稿を分離しながら、搬送経路に沿って原稿の角度を変える必要が有り、原稿をスムースに搬送するために、一例として、原稿テーブルの昇降機構や、原稿をピックアップするピックアップローラの昇降機構等の、複雑で高価な部品を使用する構成を採用しなければならないと言った問題があった。
【発明の概要】
【発明が解決しようとする課題】
【０００５】
また、上繰り分離方式の自動原稿搬送装置では、原稿テーブルに積載される最大枚数分の原稿の厚さ分だけの懐（積載高さの余裕分）を、分離部と原稿テーブルの間に設ける必要がある。
【０００６】
原稿がある程度の柔らかさを備えた紙で出来ている場合には、上記の「懐」が設けられていても、紙が通紙経路にならってくれるので特に問題とはならない。
ところが、カード等を原稿として使用する場合、原稿テーブル上のカードの先端が分離部のニップに挟まる瞬間に、カードの後端が上記の原稿の厚さ分の懐（積載高さの余裕分）分、原稿テーブルから浮き上がる状態になる。すると、ピックアップローラの動作の方式によっては問題となる場合が有る。
【０００７】
すなわち、上繰り分離方式の自動原稿搬送装置におけるピックアップローラは、原稿セット時には原稿から退避する方向、すなわち原稿の上面に待機状態で退避しており、原稿搬送開始と同時に、最上面の原稿をピックアップする。
【０００８】
一般的にピックアップローラは原稿搬送中に、常に原稿面に押し付けたまま、原稿を搬送する方式が分離部の構成としては一番単純で部品点数も少なく、安価である。逆に、ピックアップローラを各ページごとに下降、上昇をする構成にすると、ソレノイドや電磁クラッチといった、機構部品が必要になり、コストも高くなるし、部品点数も多くなってしまう。
【０００９】
特開２００９−４０５２２号公報（特許文献１）には、原稿テーブルを上昇および下降出来るように構成したＡＤＦが開示されているが、原稿テーブルを動作させる機構や、テーブルの昇降量を検知するセンサ類といった部品が必要となり、部品点数が増えコストも高くなってしまう。
【００１０】
また、上記のようにカード等の硬い原稿を通紙する場合に、カードの先端が分離部のニップに入った瞬間に、ピックアップローラがカードの中央あるいは後端を押さえつけていた場合、カードを曲げる力が加わり、破損させてしまったり、カードの先端以降が分離部にスムースに導かれていくことを邪魔してしまったりするという問題がある。
【００１１】
そこで本発明は、カード等の硬く小さな原稿を通紙する場合でも原稿にストレスを与えず、良好な分離・搬送を行うことのできる自動原稿搬送装置、画像読取装置、画像形成装置を提供することを課題とする。
【課題を解決するための手段】
【００１２】
前記の課題は、本発明により、原稿テーブルと、該原稿テーブル上にセットされたシート状原稿を呼び出す呼出し手段と、給送手段および分離部材からなり前記呼出し手段により呼び出された原稿を一枚ずつに分離して給送する分離部とを有する自動原稿搬送装置において、前記原稿テーブルから突出及び退避可能に設けられ、前記原稿テーブルから突出することで前記原稿テーブル上に原稿を持ち上げる補助部材を備えることにより解決される。
【発明の効果】
【００１３】
本発明の自動原稿搬送装置、画像読取装置、画像形成装置によれば、原稿テーブルから突出することで原稿テーブル上に原稿を持ち上げる補助部材を備えるので、原稿がカード等の硬い部材の場合に補助部材を突出させることで原稿を持ち上げ、原稿が呼出し手段によって押さえられても原稿の曲がりや破損を防いで良好な分離及び搬送を行うことができる。
【図面の簡単な説明】
【００１４】
【図１】本発明に係る自動原稿搬送装置の一例を示す断面構成図である。
【図２】本発明に係る自動原稿搬送装置を搭載可能な画像形成装置の一例を示す断面構成図である。
【図３】原稿テーブルに原稿をセットするための「懐」の一例について説明する図である。
【図４】原稿テーブルに原稿をセットするための「懐」の別の例について
【図５】カード等の原稿を通紙する場合の問題について説明する図である。
【図６】本発明に係る自動原稿搬送装置の原稿テーブル先端部の構成を示す拡大図である。
【図７】原稿テーブルに設けた補助部材が退避した状態を示す斜視図である。
【図８】原稿テーブルに設けた補助部材が突出された状態を示す斜視図である。
【図９】補助部材を突出させる構成例を示す斜視図である。
【図１０】補助部材の作用について説明する図である。
【発明を実施するための形態】
【００１５】
以下、本発明の実施の形態を図面に基づいて説明する。ただし、本発明は本実施形態の構成に限定されるものではない。
図１は、本発明に係る自動原稿搬送装置の一例を示す断面構成図である。この図において、自動原稿搬送装置１は、スキャナ等の画像読取装置２の上部に開閉可能に取り付けられている。画像読取装置２は、その上面にスリットガラス（読取位置）３が設けられており、自動原稿搬送装置１により原稿を搬送しスリットガラス３上を通過させることで原稿を読み取る。
【００１６】
自動原稿搬送装置１では、図示しない操作部からの指示によって片面モードと両面モードを選択でき、その設定されたモードにより自動原稿搬送装置１の動作が制御される。原稿６は原稿積置台５に画像面を上にしてページ順にセットされる。ピックアップローラ７は通常は原稿積置台５と所定間隔をあけて待機しており、原稿積置台５に原稿がセットされたことを原稿セット検知フィラー８により検知され、かつ、図示しない操作部上で読取開始が指示された場合に、待機位置から（図に一点鎖線で示すように）下降して原稿６の上面と接触するように制御される。
【００１７】
次にフィードローラ９とリバースローラ１０で原稿を最上位から順次一枚づつ分離する。リバースローラ１０のかわりに分離パッドを用いてもよい。搬送路（イ）はガイド１１，１１ａの間に形成されたものであり、分離部のフィードローラにより分離搬送された原稿をスリットガラス３上へ搬送させるための経路である。ガイド１１は上カバー２９により形成されており、上カバー２９は上カバー回転軸３３を中心に回転することができる。搬送路（ロ）はガイド１２，１２ａの間に形成されてあものであり、スリットガラス上を通って搬送された原稿を排紙口１３へ移動させるための経路である。１４は原稿排紙口１３から排紙された原稿をスタックするための排紙トレイである。スイッチバック搬送路（ハ）は、原稿積置台５の下部で、かつ、原稿トレイ１４の上方に設けられたガイド１６と１６ａ，１６ａと分岐爪の間に形成されたものであり、排紙口１３から排紙された原稿をスイッチバックさせて、原稿後端から再び搬送路（イ）に導くためのものである。
【００１８】
分岐爪１７は原稿トレイ１４の上方に設けられ、点線位置に切り替わることにより排紙口１３から排紙された原稿をスイッチバック経路（ハ）へ導き、原稿がスイッチバック経路（ハ）内に導入されると、実線位置に切り替わることによりスイッチバック搬送路（ハ）でスイッチバックされた原稿を後端から、搬送路（ニ）に導く。搬送路（ニ）はガイド１８，１８ａの間に形成されたものであり、搬送路（イ）と合流しており、スイッチバックされた原稿を再び読取位置へ搬送するための経路である。
【００１９】
反転ローラ２６，２６ａは単独で正転と逆転を切り替えるための手段を有しており、スイッチバック搬送路（ハ）へ搬送されてくる原稿をスイッチバック経路（ハ）内に導入し、その後逆転して、搬送経路（ニ）に原稿を搬送する。２８は読取ローラと読取ローラの間に配置されたセンサで、読取ローラにて搬送されている原稿の先端と読取開始のタイミングをあわせるためのものである。
【００２０】
上記のように構成された自動原稿搬送装置１の動作について説明する。
［片面モード］
原稿台５に原稿がセットされると、原稿セット検知フィラーが原稿により回動し、図示しない透過型センサのＯＮ／ＯＦＦを切り替える。片面モードが設定された状態で図示しない操作部に設けられたスタートキーが押下されたとき、前述した原稿セット検知センサのＯＮ／ＯＦＦ信号により原稿積置台５上に原稿がセットされているか否かがチェックされる。原稿セットが検知されると、モータが正回転し、ピックアップローラ７が下降し原稿に押圧されるとともにピックアップローラ７が図中時計方向に回転し、原稿を送りだす。ピックアップローラにより送りだされた原稿は、フィードローラ９とリバースローラ１０（もしくは分離パッド）にて順次一枚づつ分離される。
【００２１】
ついで、原稿６の先端がセンサ２８に検知されると、読取開始タイミングがとられ、原稿の先端にあわせて読取が開始される。またセンサ２８により原稿の後端が検知されると、読取終了のタイミングがとられ、原稿の後端にあわせて読取が終了される。片面モードの時は分岐爪１７が常に図中実線位置あるため読取後に排紙口１３から排紙トレイ１４に排紙されて、画像面を下に積載されていく。モータは常に駆動されているが、搬送ローラ１９の線速をフィードローラ９の線速に対して早く設定することで、紙間を形成する。すべての原稿の読取が終了すると、モータが逆転しピックアップローラ７を上昇させて待機位置に移動させる。
【００２２】
［両面モード］
両面モードが設定された状態で図示しない操作部に設けられたスタートキーが押下されたとき、原稿セット検知センサのＯＮ／ＯＦＦにより原稿積置台５上に原稿がセットされているか否かがチェックされる。原稿セットが検知されると、モータが正回転し、ピックアップローラ７が下降し原稿に押圧されるとともにピックアップローラ７が図中時計方向に回転し、原稿を送りだす。ピックアップローラにより送りだされた原稿は、フィードローラ９とリバースローラ１０（もしくは分離パッド）にて順次一枚づつ分離される。次いで、原稿６の先端がセンサ２８に検知されると、読取開始タイミングがとられ、原稿の先端にあわせて読取が開始される。またセンサ２８で先端を検知すると、分岐爪を図中点線位置に移動し、反転ローラ２６は正転方向（図中時計回り方向）に回転させる。さらに原稿６の先端をセンサ２８にて検知すると、フィードローラ９およびピックアップローラ７の駆動をクラッチなどにより解除し、次原稿を給紙せずに待機しておく。センサ２８により原稿の後端が検知されると、読取終了のタイミングがとられ、原稿の後端にあわせて読取が終了される。その後、原稿は排紙口１３からスイッチバック経路（ハ）に搬送される。
【００２３】
センサ２８からある時間Ｔ後（原稿後端が排紙口１３を完全に抜けるだけの時間を経過した後）に、分岐爪を図中実線位置に切り替えるとともに、反転ローラ２６の回転方向を逆転方向（図中反時計回り方向）にし、原稿を搬送路（ニ）へ導く。次いで、搬送路（ニ）に進入した原稿は搬送路（イ）へ送り込まれる。そして原稿の先端がセンサ２８に検知されると、表面と同様に、原稿６の裏面の読取動作が行われる。またセンサ２８で先端を検出すると、再び分岐爪１７を図中点線位置に移動し、反転ローラ２６は正転方向に回転させる。この時、読取前ローラ２０と反転ローラ２６は相反する方向へ回転しているが、反転ローラ軸上にトルクリミッタを設けることにより、読取前ローラに従うようになっている。
【００２４】
裏面の読取動作が終了すると、再びスイッチバックされて搬送路（イ）へ送り込まれるが、このときは読取動作は行わない。またセンサ２８により原稿の先端が検知されても、分岐爪を実線位置の状態にすることで原稿を排紙トレイ１４に表面を下にして排紙させる。原稿後端の３回目の通過がセンサ２８によって検知された時点で、原稿積置センサ８が原稿を検知していたとき、次原稿の給紙動作が行われる。以下、原稿セット検知センサが原稿を検知しなくなるまで上述の動作を繰り返し行うことにより、原稿積置台５の原稿についての両面原稿処理が終了する。
【００２５】
図２は、図１の自動原稿搬送装置を搭載可能な画像形成装置の一例を示すものである。この画像形成装置の構成と動作については後述する。
【００２６】
ここで、カード類や免許証など、プラスチック等の硬い部材を原稿とした場合の問題点について図３〜５を参照して説明する。
通常、自動原稿搬送装置においては、原稿テーブルと分離部以降の搬送経路が一直線上になることは無く、原稿をセットするための「懐」が設けられる。「懐」の設け方としては、原稿テーブルと分離部以降の搬送経路との間に角度や段差を付ける方法がある。すなわち、図３に示すように、原稿テーブル５と、フィードローラ９及び分離ローラ１０（もしくは分離パッド）で形成される分離部以降の搬送経路との間に角度θを付けることで、「懐」を設けたり、あるいは図４に示すように、原稿テーブル５と、フィードローラ９及び分離ローラ１０（もしくは分離パッド）で形成される分離部以降の搬送経路との間に段差Ｌを設けることで、「懐」を設けている。
【００２７】
図３あるいは図４のような構成において、原稿が通常の柔らかい紙である場合には、紙が通紙経路にならってくれるので特に問題とはならない。
しかしながら、図５に示すように、原稿６としてカード類や免許証など、プラスチック等の硬い部材を通紙した場合には、原稿６がフィードローラ９及び分離ローラ１０（もしくは分離パッド）で形成される分離部のニップに入った瞬間に、原稿後端が持ち上がり、原稿テーブル５から原稿（カード）６が浮いた状態になる。
【００２８】
この状態で、ピックアップローラ７がカード等の原稿６を下方に押し付けて搬送（加圧）を続けると、カード先端が分離部のニップにスムーズに入らずに、カード（原稿６）を曲げる力が発生してしまい、分離及び搬送不能な状態となってしまう。
【００２９】
この問題を回避する方策として、カード（原稿６）先端が分離部のニップに入ると同時にピックアップローラ７を退避させる方法が考えられる。しかしそれを実現するためには、ピックアップローラ７を退避させる動力及び機構が必要であり、具体的には電磁クラッチやソレノイド等が必要となり、構成が複雑でコストアップになってしまう。
【００３０】
そこで、本発明では、ピックアップローラが常に一定の力（ピックアップローラの自重や一定のトルク、あるいはバネ等による一定の付勢力）で原稿を押し付けるという一番低コストな方法により、良好にカード等の原稿を分離・搬送することのできる構成を採用するものである。以下、本発明の詳細を図面に従って説明する。
【００３１】
図６は、本発明に係る自動原稿搬送装置の原稿テーブル先端部の構成を示す部分拡大図である。なお、ここでは、原稿をセットするための「懐」として、原稿テーブルと分離部以降の搬送経路との間に角度を設けた構成で説明するが、原稿をセットするための「懐」として、原稿テーブルと分離部以降の搬送経路との間に段差を設けた構成（図４で説明したような構成）にも適用可能であり、もちろん、図１に示す自動原稿搬送装置１にも適用可能なものである。
【００３２】
図６に示すように、原稿テーブル５の先端部に補助部材５０が設けられている。補助部材５０は、軸５１を支点として回動可能に設けられ、図に実線で示すように後端部を原稿テーブル５から突出させ、また、図に仮想線（一点鎖線）で示すように原稿テーブル５に沿ってテーブル面と平面をなすように退避するようになっている。
【００３３】
ピックアップローラ７は、フィードローラ９の軸に取り付けられた支持部材１５によって軸支され、ピックアップローラ７の自重や一定のトルク、あるいはバネ等による一定の付勢力で、ピックアップローラ７が常に一定の力で原稿を押し付けるように構成されている。
【００３４】
図７は、補助部材５０が原稿テーブル５に沿って退避した状態を示す斜視図である。
図７において、符号６０は原稿の幅方向端部をガイドする幅ガイドであり、この幅ガイド６０は原稿幅方向に移動可能に、すなわち、一対の幅ガイド６０，６０が互いに近づき、また離間するように移動可能に設けられる。
【００３５】
そして、本実施例では、図８に示すように、両側の幅ガイド６０，６０の距離が所定距離以下に接近すると、自動的に補助部材５０が突出するように構成されている。補助部材５０の退避は、幅ガイド６０，６０の距離が所定距離より大きくなったら自動的に補助部材５０が退避するように構成するか、又は、手動により（操作者が補助部材５０を上方から押し込んで）退避させる構成でもよい。
【００３６】
図９は、補助部材５０を突出させる別の構成例を示す斜視図である。この図に示す構成では、補助部材５０は、図示しないバネ等の付勢手段により突出方向に付勢されており、通常時は上記付勢手段が図示しないストッパにより押さえられていることで、図９に示すように補助部材５０が退避状態となっている。そして、原稿テーブル５の上面に設けられた押しボタン５２（指示手段）を押下すると、上記ストッパによる付勢手段の押さえが解除され、補助部材５０の後端が図６に実線で示すように突出される。補助部材５０を退避させるときは、補助部材５０を上方から（手動により）押すことで、上記付勢手段が図示しないストッパにより押さえられ、補助部材５０は退避位置に保持される。図９の構成では、幅ガイド６０の位置に関わらず、補助部材５０を突出させることが可能であり、原稿の幅によらずに補助部材５０の補助を行うことができる。
【００３７】
図１０及び図６を参照しながら、補助部材５０の作用について説明する。
原稿テーブル５の上面から後端部を突出させた補助部材５０によってガイドされたカード等の原稿６は、原稿テーブル５から浮いた状態で、かつ、補助部材５０により保持されることにより、原稿と分離部以降の搬送経路とが一直線上となるため、図に示す状態のまま直線状にスムーズに搬送される。その結果、原稿６にストレスを与えず、良好な分離・搬送を行うことができる。
【００３８】
このように、本発明による自動原稿搬送装置においては、原稿テーブル５から突出可能な補助部材５０を設けて、カード類や免許証などの硬い部材を原稿として通紙する際に補助部材５０を突出させて原稿を持ち上げることにより、原稿と分離部以降の搬送経路とを一直線上ないしほぼ一直線上とすることができるため、原稿をスムーズに搬送して確実な分離及び以降の搬送を行うことができる。
【００３９】
なお、図６では、原稿テーブル５と、フィードローラ９及び分離ローラ１０で形成される分離部以降の搬送経路との間に角度が有る（図３の角度θを参照）構成で説明したが、図４のような、原稿テーブル５と、フィードローラ９及び分離ローラ１０（もしくは分離パッド）で形成される分離部以降の搬送経路との間に段差Ｌを有する構成にも、本発明は適用可能であり、図１に示す自動原稿搬送装置１でも、図示はされていないが上記補助部材５０を原稿テーブル５の先端部に備えるものである。
【００４０】
最後に、図２に示した画像形成装置について説明する。
図２に示す画像形成装置は、いわゆるタンデム型中間転写方式のフルカラー電子写真装置であり、画像読み取り部を備えて複写装置として構成されたものである。この図に示す複写装置は、給紙テーブル３２０の上に装置本体３１０を搭載し、その装置本体３１０の最上部にはスキャナ３３０が配置される。図１の自動原稿搬送装置１は、スキャナ３３０の上に装着される。
【００４１】
装置本体３１０には、中央に、中間転写体として無端状の中間転写ベルト３０１が配設されている。該中間転写ベルト３０１の上辺には、ベルト移動方向に沿って、イエロー（Ｙ），マゼンタ（Ｍ），シアン（Ｃ），黒（Ｋ）の４つの作像ユニット３１１を横に並べて配置してタンデム画像形成部３５０を構成する。そのタンデム画像形成部３５０の上には、さらに露光装置３０９が設けられる。
【００４２】
中間転写ベルト３０１を挟んでタンデム画像形成部３５０と反対の側には、二次転写装置３１５を備える。二次転写装置３１５の横には、用紙上に転写された未定着画像を定着する定着装置３１９を設ける。二次転写装置３１５は、画像転写後の用紙をこの定着装置３１９へと搬送する用紙搬送機能も備えている。定着装置３１９は、定着ローラ３０６に加圧ローラ３０７を圧接して構成する。定着ローラ３０６は内部に発熱機構を有し、画像定着に必要な温度まで加熱される。用紙上の未定着画像は、熱と圧力を与えられ、用紙に定着される。なお、定着装置はベルト定着方式であっても良い。また、二次転写装置３１５および定着装置３１９の下方には、シートの両面に画像を記録すべくシートを反転するシート反転部３０８を備える。
【００４３】
さて、今この電子写真装置を用いてコピーをとるときは、自動原稿搬送装置１の原稿台上に原稿をセットする。または、自動原稿搬送装置１を開いてスキャナ３３０のコンタクトガラス上に原稿をセットし、自動原稿搬送装置１を閉じてそれで押さえる。
【００４４】
不図示のスタートスイッチを押すと、自動原稿搬送装置１に原稿をセットしたときは原稿が自動的に搬送され、コンタクトガラス３３１上に原稿をセットしたときは直ちにスキャナ３３０を駆動し、原稿内容を読み取る。
【００４５】
原稿読み取りに並行して、中間転写ベルト３０１を回転駆動させる。そして、個々の作像ユニット３１１において感光体ドラム３１２を回転して各感光体ドラム３１２上にそれぞれ、イエロー，マゼンタ，シアン，黒の色別情報を用いて露光現像し、単色のトナー画像を形成する。そして、中間転写ベルト３０１の移動とともに、それらの単色のトナー画像を順次転写して中間転写ベルト３０１上に合成カラー画像を形成する。
【００４６】
一方、画像形成に並行して、給紙テーブル３２０の給紙ローラ３２１の１つを選択回転し、多段に備える給紙カセット３２３の１つから用紙を繰り出し、１枚ずつ分離して搬送ローラ３２６で搬送してレジストローラ３２８に突き当てて止める。または、手差しトレイ３３６上の用紙を繰り出し、１枚ずつ分離して同じくレジストローラ３２８に突き当てて止める。
【００４７】
そして、中間転写ベルト３０１上の合成カラー画像にタイミングを合わせてレジストローラ３２８を回転し、中間転写ベルト３０１と二次転写装置３１５との間に用紙を送り込み、二次転写装置３１５で転写して用紙上にカラー画像を記録する。
【００４８】
画像転写後の用紙は、ベルト３１６で搬送して定着装置３１９へと送り込み、定着装置３１９で熱と圧力とを加えて転写画像を定着して後、切換爪３３９で切り換えて排出ローラ３４２で排出し、排紙トレイ３４３上にスタックする。または、切換爪３３９で切り換えてシート反転部３０８に入れ、そこで反転して再び転写位置へと導き、裏面にも画像を記録して後、排出ローラ３４２で排紙トレイ３４３上に排出する。
【００４９】
一方、画像転写後の中間転写ベルト３０１は、中間転写ベルトクリーニング装置３０５で、画像転写後に中間転写ベルト３０１上に残留する残留トナーを除去し、タンデム画像形成部３５０による再度の画像形成に備える。
【００５０】
以上、本発明を図示例により説明したが、本発明はこれに限定されるものではない。自動原稿搬送装置は本発明の範囲内で適宜な構成を採用可能である。また、画像読取装置の構成は任意である。
【００５１】
さらに、画像形成装置の構成も任意であり、電子写真方式に限らず、例えばインクジェット方式の画像形成装置も可能である。カラー画像形成装置に限らず、モノクロ装置でも良い。もちろん、画像形成装置としては複写装置に限らず、プリンタやファクシミリ等の機能を有する複合機であっても良い。
【符号の説明】
【００５２】
１          自動原稿搬送装置
５          原稿テーブル（原稿台）
６          原稿
７          ピックアップローラ（呼出し手段）
９          フィードローラ（給送手段）
１０        分離ローラ（分離部材）
５０        補助部材
５２        押しボタン（指示手段）
６０        幅ガイド
３０９      露光装置
３１０      複写装置本体
３１１      作像ユニット
３３０      スキャナ（画像読取装置）
【先行技術文献】
【特許文献】
【００５３】
【特許文献１】特開２００９−４０５２２号公報
【図１】
2013237494.tif 000003
【図２】
2013237494.tif 000004
【図３】
2013237494.tif 000005
【図４】
2013237494.tif 000006
【図５】
2013237494.tif 000007
【図６】
2013237494.tif 000008
【図７】
2013237494.tif 000009
【図８】
2013237494.tif 000010
【図９】
2013237494.tif 000011
【図１０】
2013237494.tif 000012